(57)【特許請求の範囲】
【請求項１】
第１の基地局からのブロードキャスト情報の受信中に、受信中と同じブロードキャスト情報を配信していない第２の基地局へハンドオフした場合は、前記第１の基地局へのハンドオフ閾値を下げる
無線端末。
【請求項２】
第１の基地局からのブロードキャスト情報の受信中に、受信中と同じブロードキャスト情報を配信していない第２の基地局へハンドオフした場合は、前記第１の基地局で受信していたものと同じブロードキャスト情報を配信している基地局のハンドオフ閾値を下げる
無線端末。
【請求項３】
無線端末が、第１の基地局からのブロードキャスト情報の受信中に、受信中と同じブロードキャスト情報を配信していない第２の基地局へハンドオフした場合は、前記第１の基地局へのハンドオフ閾値を下げる
方法。
【請求項４】
無線端末が、第１の基地局からのブロードキャスト情報の受信中に、受信中と同じブロードキャスト情報を配信していない第２の基地局へハンドオフした場合は、前記第１の基地局で受信していたものと同じブロードキャスト情報を配信している基地局のハンドオフ閾値を下げる
方法。
【発明の詳細な説明】
【技術分野】
【０００１】
本発明は、ブロードキャスト番組を受信可能な、無線端末装置および無線ネットワークシステムに関するものである。
【背景技術】
【０００２】
ＢＣＭＣＳ（Broad Cast Multicast Service）は、ＣＤＭＡ２０００−１ｘ、ＥＶ−ＤＯ（Evolution Data Only）通信エリア内の全てのユーザに向けてデータを一斉配信することにより、効率のよいデータ伝送方式を提供するサービスである。
このサービスを受けるユーザは予め、受信したいＢＣＭＣＳ番組の情報を予め無線端末装置に登録しておく必要がある。無線端末装置は、登録した番組の配信開始時刻になったら、通信エリア内で送信されている報知情報（Broad Cast Overhead Message）を受信し、登録番組が配信されていることを確認出来たらデータ受信を開始する。
【０００３】
ところで、ＢＣＭＣＳの番組受信は、ＢＣＭＣＳの番組配信サーバがブロードキャストで配信している間に受信する場合は受信パケット代がかからない。但し、ブロードキャスト受信に失敗した場合は、通常のＥＶ−ＤＯ接続を行ってユニキャストで番組ダウンロードを行う必要があるためパケット代が発生する。
また、ＢＣＭＣＳの番組は、全ての基地局で放送している訳ではないため、受信中にハンドオフした先の基地局でＢＣＭＣＳの番組が放送さていないことがあり、この場合はＢＣＭＣＳの継続受信が出来なくなってしまう。
【０００４】
上記したＢＣＭＣＳのようなブロードキャスト番組の受信中のハンドオフに関係する特許出願は、存在しており、例えば、ＢＣＭＣＳのようなブロードキャスト番組の受信中にハンドオフする場合、現在受信中の番組を放送している基地局のみをハンドオフ候補にする無線端末装置に関する出願がある（例えば、特許文献１参照）。
【０００５】
また、ハンドオフを抑制する技術についても従来から提案がなされている。例えば、現在いる基地局の受信レベルが高い場合はハンドオフする必要性は低いため、ハンドオフ候補先の受信レベルが十分高くなったときにハンドオフを行い、省電力化をはかる無線端末装置に関する出願が知られている（例えば、特許文献２参照）。
【０００６】
このときのハンドオフ元とハンドオフ先の基地局の受信レベルの差を「ハンドオフ閾値」と呼ぶ。ハンドオフ候補先の受信レベルがハンドオフ元よりも十分に高くないと（ハンドオフ閾値が高い）ハンドオフが行われないため、ハンドオフを抑制することができる。
更に、ハンドオフした先で再び受信品質を判断して受信レベルにより閾値を変化させ、ハンドオフした先の受信レベルが高い場合は、閾値を上げてハンドオフしにくく制御し、また、受信レベルが低い場合は、閾値を下げてハンドオフし易くしている。
【０００７】
【特許文献１】特開２００６−０７４１５８号公報
【特許文献２】特開２０００−１０２０５７号公報
【発明の開示】
【発明が解決しようとする課題】
【０００８】
上記した特許文献１に開示された技術によれば、ブロードキャスト番組を放送している基地局のみをハンドオフ候補としているため、受信レベルが比較的良い基地局であっても番組が放送されていないという理由でハンドオフ候補から外れてしまう。
その結果、受信レベルが比較的良くない基地局ばかりがハンドオフ候補として残り、あるいはハンドオフ候補の基地局がなくなってしまい、その結果、電波をロストする恐れがある。
【０００９】
また、特許文献２に開示された技術によれば、現在の基地局とハンドオフ先の基地局との受信レベルのみを、ハンドオフ実施する際の判断基準としているため、ブロードキャスト番組の受信中にハンドオフする場合に、受信中の番組が放送されていない基地局にハンドオフしてしまう可能性がある。
番組が放送されていない基地局にハンドオフしてしまうと、ブロードキャスト番組が受信できなくなり番組受信エラーになってしまう。
【００１０】
本発明は、ブロードキャスト番組受信中における電波のロストを極力回避しながら最適なハンドオフを実現する、無線端末装置および無線ネットワークシステムを提供することにある。
【課題を解決するための手段】
【００１３】
本発明明の無線端末は、第１の基地局からのブロードキャスト情報の受信中に、受信中と同じブロードキャスト情報を配信していない第２の基地局へハンドオフした場合は、前記第１の基地局へのハンドオフ閾値を下げる。
【００１４】
また、本発明の無線端末は、第１の基地局からのブロードキャスト情報の受信中に、受信中と同じブロードキャスト情報を配信していない第２の基地局へハンドオフした場合は、前記第１の基地局で受信していたものと同じブロードキャスト情報を配信している基地局のハンドオフ閾値を下げる。
【００１７】
また、本発明の方法は、無線端末が、第１の基地局からのブロードキャスト情報の受信中に、受信中と同じブロードキャスト情報を配信していない第２の基地局へハンドオフした場合は、前記第１の基地局へのハンドオフ閾値を下げる。
また、本発明の方法は、無線端末が、第１の基地局からのブロードキャスト情報の受信中に、受信中と同じブロードキャスト情報を配信していない第２の基地局へハンドオフした場合は、前記第１の基地局で受信していたものと同じブロードキャスト情報を配信している基地局のハンドオフ閾値を下げる。
【発明の効果】
【００１８】
本発明によれば、ブロードキャスト番組受信中における電波のロストを極力回避しながら最適なハンドオフを実現することができる。
【発明を実施するための最良の形態】
【００１９】
図１は、本発明の実施の形態に係る無線ネットワークシステムのシステム構成の一例を示す図である。ここでは、ブロードキャスト番組の配信例として周知のＢＣＳＭＳを用いた無線ネットワークシステムが構築されている。
【００２０】
図１において、無線端末装置としての携帯電話１０は、基地局（基地局２０）を含む通信ネットワーク３０を経由してキャリアが管理運営する網側装置（以下、ＢＣＭＣＳサーバ４０という）と接続される。基地局２０は、個別に報知するための報知情報（Broad Cast Overhead Message）を保持するデータベース（ＤＢ２００）を備えている。そしてこのＤＢ２００は通信ネットワーク３０を介してＢＣＭＣＳサーバ４０により書き換えられる。
【００２１】
携帯電話１０が在圏している基地局のカバーエリアで送信されている報知情報には、隣接した基地局でも同じ番組を放送されているか否かを判断するために、ソフトコンバイン（Soft Combine）情報が含まれている。このSoft Combine情報として、隣接している基地局毎に“０”または“１”が設定されている。
隣接している、ある基地局がSoft Combine＝“１”の場合は、その基地局でも同じ番組を放送していることになる。そのため、Soft Combine＝“１”の基地局に無線端末装置がハンドオフすれば現在受信中のＢＣＭＣＳ番組をハンドオフ先でも受信できることになる。
【００２２】
図２は、基地局で放送されている報知情報メッセージの一例を示す図である。図２に示されるテーブルは、セクタパラメータメッセージ（Sector Parameters Message）のネイバーパイロットＰＮ（neighbor pilot PN）と、報知情報（Broad Cast Overhead Message）のSoft Combineとが対応している。
例えば、neighbor pilot PN［０］と、Soft Combine［０］が対応しているため、ＰＮ＝４の隣接基地局では、現在の基地局と同じ番組が放送されていることになる。
【００２３】
無線端末装置が現在基地局Ａのカバーエリアに在圏している場合の、周りの基地局のSoft Combine値の一例が図２に示されている。図３は、Soft Combineのイメージを説明するために示した概念図である。図３中、基地局Ｂ〜Ｇが、図２のSector Parameters Messageのneighbor pilot PN［０］〜［５］に対応するものとした場合、図３に網掛けして示されている基地局（Soft Combine＝“１”の基地局）で、基地局Ａと同じＢＣＭＣＳ番組が放送されているということになる。
【００２４】
図４は、本発明の実施の形態に係る無線端末装置の外観構造の一例を示す図である。ここでは、無線端末装置として、折り畳み型の携帯電話１０を想定している。
【００２５】
図４に示されるように、携帯電話１０は、上部筐体１０１と、下部筐体１０２と、ヒンジ部１０３とを有する。
【００２６】
図４（ａ）は、携帯電話１０が開かれた状態（開状態）を示した図であり、図４（ｂ）は携帯電話１０の折り畳まれた状態（閉状態）を示した図である。
図４（ａ）に示されるように、上部筐体１０１には、図４（ｂ）に示す携帯電話１０の閉状態においては外部には露出しない一面に表示部１６が配置されている。
また、図４（ａ）に示されるように、下部筐体１０２には、図４（ｂ）に示す携帯電話１０の閉状態において外部には露出しない一面に操作部１２が配置されている。
【００２７】
ヒンジ部１０３は、上部筐体１０１と下部筐体１０２とを開閉し、図４（ａ）に示す携帯電話１０の開状態と図４（ｂ）に示す閉状態とを遷移可能とする回転軸を有するヒンジ機構である。なお、携帯電話１０の開状態／閉状態は、後述する制御部１８により監視されており、不図示の制御部は携帯電話１０の閉状態を検出することが可能である。
具体的には、例えば上部筐体１０１に配置した図示しない突起部により、下部筐体１０２の図示しない検出スイッチが押しているか否かを制御部が監視することにより閉状態を検出している（すなわち検出スイッチが押下されていれば閉状態、そうでなければ開状態と判定）。なお、開閉検出は、スイッチに限らず、各種センサであってもよい。
【００２８】
図５は、本発明の実施の形態に係る無線端末装置の内部構成を示すブロック図である。ここでは、携帯端末装置として携帯電話１０が例示されている。
図５に示されるように、携帯電話１０は、不図示の基地局を含む網側装置（図１に示す基地局２０とＢＣＭＣＳサーバ４０）とは通信ネットワーク（図１の３０）を介して接続され、複数の通信システムを捕捉可能であり、網側装置との間で捕捉した通信システムにて所定のプロトコルにしたがい通信を行う。そして、携帯電話１０は、通信部１１と、操作部１２と、音声入出力部１３と、スピーカ１４と、マイクロフォン１５と、表示部１６と、記憶部１７と、制御部１８とにより構成される。
【００２９】
通信部１１は、複数の通信システムを捕捉し、ＣＤＭＡ２０００ １ｘ（以下、単に１ｘという）やＥＶＤＯ（Evolution-Data Optimized/only）の通信プロトコルにしたがい、通信網に接続される不図示の基地局との間で無線通信を行う。なお、ＥＶＤＯ通信は、１ｘ通信よりも高速であり、１ｘ通信は、ＥＶＤＯ通信と異なり、データ通信の他に音声通信もサポートするといった特徴を有している。
【００３０】
操作部１２は、例えば、電源キー、通話キー、数字キー、文字キー、方向キー、決定キー、発信キーなど、各種の機能が割り当てられたキーを有しており、これらのキーがユーザによって操作された場合に、その操作内容に対応する信号を発生し、これをユーザの指示として制御部１８に入力する。
【００３１】
音声入出力部１３は、スピーカ１４から出力される音声信号やマイクロフォン１５において入力される音声信号の処理を行う。
すなわち、音声入出力部１３は、マイクロフォン１５から入力される音声を増幅し、アナログ−デジタル変換を行い、更に符号化等の信号処理を施し、デジタルの音声データに変換して制御部１８に出力する。
また、音声入出力部１３は、制御部１８から供給される音声データに復号化、デジタル−アナログ変換、増幅等の信号処理を施し、アナログの音声信号に変換してスピーカ１４に出力する。
【００３２】
表示部１６は、例えば、液晶表示パネルや有機ＥＬ（Electro-Luminescence）パネルなどの表示デバイスを用いて構成されており、制御部１８から供給される映像信号に応じた画像を表示する。例えば、発信時における発信先の電話番号、着信時における着信相手の電話番号、受信メールや送信メールの内容、日付、時刻、電池残量、発信成否、待ち受け画面などの各種の情報や画像を表示する。
【００３３】
記憶部１７は、制御部１８において処理に利用される各種のデータを記憶する。
記憶部１７は、例えば、制御部１８に備わるプログラム、通信相手の電話番号や電子メールアドレス等の個人情報を管理するアドレス帳、着信音やアラーム音を再生するための音声ファイル、待ち受け画面用の画像ファイル、各種の設定データ、プログラムの処理過程で利用される一時的なデータなどを保持する。
ここでは、記憶部１７は、更に、待受け中の基地局から取得される近隣基地局リスト（ネイバーリスト１７０）が所定の領域に割当てられ記憶されている。ネイバーリスト１７０のデータ構造等、詳細は後述する。
上記した記憶部１７は、例えば、不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成される。
【００３４】
制御部１８は、携帯電話の全体的な動作を統括的に制御する。
すなわち、制御部１８は、携帯電話の各種の処理（回線交換網を介して行われる音声通話、電子メールの作成と送受信、インターネットのＷｅｂ（World Wide Web）サイトの閲覧など）が操作部１２の操作に応じて適切な手順で実行されるように、上述した各ブロックの動作（通信部１１における信号の送受信、音声入出力部１３における音声の入出力、表示部１６における画像の表示など）を制御する。
制御部１８は、記憶部１７に格納されるプログラム（オペレーティングシステム、アプリケーションプログラム等）に基づいて処理を実行するコンピュータ（マイクロプロセッサ）を備えており、このプログラムにおいて指示された手順に従って上述した処理を実行する。すなわち、記憶部１７に格納されるオペレーティングシステムやアプリケーションプログラム等のプログラムから命令コードを順次読み込んで処理を実行する。
【００３５】
制御部１８はまた、通信部１１による複数の基地局からの発信信号の強度信号を監視し、現在待受けている基地局の強度信号との差がハンドオフ閾値を超えている基地局をハンドオフ候補としてハンドオフを実行する機能を有し、具体的には、待受け中の基地局からのブロードキャスト情報が受信状態にあるか否かを判定するブロードキャスト受信判定処理と、待受け中の基地局から通信部１１により近隣基地局情報を受信する近隣基地局情報取得処理と、ブロードキャスト受信中であると判定される状態下では、取得した近隣基地局情報に基づき、受信中と同じブロードキャスト情報を配信中の基地局に関してのハンドオフ閾値を下げるハンドオフ閾値設定処理とを実行する。
このため、制御部１８は、図５にその内部構成が機能展開され示されているように、主制御部１８０と、ＢＣＭＣＳ受信判定部１８１と、近隣基地局リスト取得部１８２と、ハンドオフ制御部１８３とにより構成される。
【００３６】
ＢＣＭＣＳ受信判定部１８１は、待受け中の基地局からのブロードキャスト情報が受信状態にあるか否かを判定するブロードキャスト受信判定処理を行い、その判定結果をハンドオフ制御部１８３に引き渡す。
【００３７】
また、近隣基地局リスト取得部１８２は、待受け中の基地局から通信部１１により近隣基地局情報（ネイバーリスト１７０）を受信する近隣基地局情報取得処理を実行する。
ネイバーリスト１７０には、図２に示したように、基地局を特定する第１の情報（neighbor pilot PN）と、それぞれの基地局が、現在受信中と同じブロードキャスト情報を配信しているか否かを示す第２の情報（Soft Combine）とが含まれ、第２の情報は第１の情報に対応付けられており、近隣基地局リスト取得部１８２は、近隣基地局情報を受信する都度、最新の情報に更新して記憶部１７に記憶する。
【００３８】
ハンドオフ制御部１８３は、ＢＣＭＣＳ受信判定部１８１でブロードキャスト受信中であると判定される状態下では、近隣基地局リスト取得部１８２で取得した近隣基地局情報に基づき、受信中と同じブロードキャスト情報を配信中の基地局に関してのハンドオフ閾値を下げるハンドオフ閾値設定処理を実行する。
また、ハンドオフ制御部１８３は、ブロードキャスト受信中における近隣基地局情報に、受信中と同じブロードキャスト情報を配信中の基地局が含まれない場合は基地局毎のハンドオフ閾値を上げる処理も実行する。
【００３９】
また、ハンドオフ制御部１８３は、第１の基地局からのブロードキャスト情報の受信中に、受信中と同じブロードキャスト情報を配信していない第２の基地局へハンドオフした場合は、第１の基地局へのハンドオフ閾値を下げる処理も実行する。
また、ハンドオフ制御部１８３は、第１の基地局からのブロードキャスト情報の受信中に、受信中と同じブロードキャスト情報を配信していない第２の基地局へハンドオフした場合は、第１の基地局で受信していたものと同じブロードキャスト情報を配信している基地局のハンドオフ閾値を下げる処理も実行する。
【００４０】
なお、主制御部１８０は、上記した、通信部１１、操作部１２、音声入出力部１３、表示部１６、記憶部１７等、周辺制御ブロックとのインタフェースを司る他、通信部１１による複数の基地局からの発信信号の強度信号を監視し、現在待受けている基地局の強度信号との差がハンドオフ閾値を超えている基地局をハンドオフ候補としてハンドオフを実行する機能を有する。
具体的には、主制御部１８０は、待受け中の基地局からのブロードキャスト情報が受信状態にあるか否かを判定するブロードキャスト受信判定処理と、待受け中の基地局から通信部１１により近隣基地局情報を受信する近隣基地局情報取得処理と、ブロードキャスト受信中であると判定される状態下では、取得した近隣基地局情報に基づき、受信中と同じブロードキャスト情報を配信中の基地局に関してのハンドオフ閾値を下げるハンドオフ閾値設定処理とを実行する制御部１８として制御中枢として動作するために、上記した、ＢＣＭＣＳ受信判定部１８１と、近隣基地局リスト取得部１８２と、ハンドオフ制御部１８３との間のデータの引渡し等に関するシーケンス制御を行う。
【００４１】
図６は、本発明の実施の形態に係る無線端末装置の、ＢＣＭＣＳ番組受信中におけるハンドオフ制御の動作を示すフローチャートである。
以下、図６のフローチャートを参照しながら本発明の実施の形態に係る無線端末装置のＢＣＭＣＳ番組受信中におけるハンドオフ制御の動作について詳細に説明する。
【００４２】
図６において、携帯電話１０（主制御部１８０）は、まず、ＢＣＭＣＳ番組を受信する（ステップＳ７０１）。ＢＣＭＣＳ番組を受信するにあたり、携帯電話１０側では上記したように、受信したいＢＣＭＣＳ番組の情報を予め登録しておく必要がある。
携帯電話１０は、登録した番組の配信開始時刻になったら、通信エリア内で送信されている報知情報（Broad Cast Overhead Message）を受信し、登録番組が配信されていることを確認出来た時点でデータ受信を開始する。
【００４３】
続いて、主制御部１８０は、通信部１１による複数の基地局からの発信信号の強度信号を監視し（ステップＳ７０２）、受信状況が悪化した場合に（ステップＳ７０２“Ｙｅｓ”）、更に、ＢＣＭＣＳ受信判定部１８１がＢＣＭＣＳ番組を受信中か否かを判定（ステップＳ７０３）する。
ここで、ＢＣＭＣＳ番組受信中の場合（ステップＳ７０３“Ｙｅｓ”）、近隣基地局リスト取得部１８２は、隣接基地局のSoft Combine情報を読み出して記憶部１７の所定の領域に保存する（ステップＳ７０４）。なお、隣接基地局のSoft Combine情報は、携帯電話１０が在圏している基地局から送信される報知情報（Broad Cast Overhead Message）に含まれており、近隣基地局リスト取得部１８２により取得され、また、都度、新しいものに更新され、記憶部１７の所定の領域に保存される。
【００４４】
次に、ハンドオフ制御部１８３は、近隣基地局リスト取得部１８２が取得した近隣基地局リストの中に、Soft Combine情報＝“１”の基地局があるか否かを判定し（ステップＳ７０５）、ある場合は（ステップＳ７０５“Ｙｅｓ”）、該当基地局のハンドオフ閾値を下げる処理を実行する（ステップＳ７０６）。
続いてハンドオフ制御部１８３は、Soft Combine情報＝“１”（ＢＣＭＣＳ外番組放送中）の基地局にハンドオフしたか否かを判定し（ステップＳ７０７）、未だハンドオフしていない場合は（ステップＳ７０７“Ｎｏ”）、ハンドオフ前に取得したSoft Combine情報を元に隣接基地局のうちSoft Combine情報＝“１”の基地局のハンドオフ閾値を再設定（ハンドオフ閾値を低く設定）してハンドオフの実行を促進する（ステップＳ７０８）。ハンドオフした場合（ステップＳ７０７“Ｙｅｓ”）、ハンドオフ制御部１８３は、ＢＣＭＣＳの番組受信の終了を待って（ステップＳ７１２“Ｙｅｓ”）、ハンドオフ閾値を元の値に戻し、ＢＣＭＣＳ番組受信処理を終了する（ステップＳ７１３）。
【００４５】
一方、ステップＳ７０５のSoft Combine情報の判定処理で、Soft Combine情報＝“１”の基地局が無いと判定された場合（ステップＳ７０５“Ｎｏ”）、ハンドオフ制御部１８３は、隣接する全ての基地局のハンドオフ閾値を上げてハンドオフを抑制する（ステップＳ７０７）。
続いて、ハンドオフ制御部１８３は、ハンドオフの有無を判定し（ステップＳ７１０）、
ハンドオフが実行された場合（ステップＳ７１０“Ｙｅｓ”）、ハンドオフ前に在圏した基地局のカバーエリアのハンドオフ閾値を下げる処理を実行する（ステップＳ７１１）。そして、ＢＣＭＣＳの番組受信の終了を待って（ステップＳ７１２“Ｙｅｓ”）、ハンドオフ閾値を元の値に戻し、ＢＣＭＣＳ番組受信処理を終了する（ステップＳ７１３）。
【００４６】
すなわち、ハンドオフ制御部１８３は、ＢＣＭＣＳの番組を受信中にハンドオフする場合は、ハンドオフ候補の基地局のうちSoft Combine＝“１”の基地局のみハンドオフ閾値を下げ、ハンドオフ候補がSoft Combine＝“０”の基地局しか存在しない場合は、全ての基地局のハンドオフ閾値を上げ、なるべく現在在圏する基地局内に留めるようにする。
そして、Soft Combine情報＝“０”の基地局にハンドオフしたためにＢＣＭＣＳの番組受信が途切れてしまった場合、ハンドオフ制御部１８３は、ハンドオフ前の基地局（ハンドオフ前にＢＣＭＣＳ受信していた基地局）のハンドオフ閾値を下げるように制御する。また、ハンドオフ前のSoft Combine情報を記憶しておき、Soft Combine＝“１”であった基地局に対するハンドオフ閾値を下げて、ハンドオフしやすい状態に設定する。
【００４７】
図７は、上記した本発明の実施の形態に係る無線端末装置によるＢＣＭＣＳ番組受信中のハンドオフイメージ（１）を示す図である。
【００４８】
図７に示されるように、基地局Ｂ、Ｅ、Ｇが、Soft Combine＝“１”の場合には、基地局Ｂ、Ｅ、Ｇのハンドオフ閾値が低く設定され、基地局Ｂ、Ｅ、Ｇへのハンドオフを促進している。また、Soft Combine＝“１”の基地局のハンドオフ閾値を低く設定した場合でも、Soft Combine＝“０”の基地局の電波状況が遥かに優れている等の理由により、Soft Combine＝“０”の基地局にハンドオフする場合もある。
その場合は、ハンドオフ前に保持していたSoft Combine情報を元にハンドオフ閾値の再設定が可能である。
【００４９】
図８は、上記した本発明の実施の形態に係る無線端末装置によるSoft Combine＝“０”の基地局Ｆにハンドオフした場合のＢＣＭＣＳ番組受信中のハンドオフイメージ（２）を示す図である。
【００５０】
図８に示されるように、携帯電話１０が、ＢＣＭＣＳ番組を放送していない基地局Ｆにハンドオフした場合は、ハンドオフ前にいた基地局と、ハンドオフ前にSoft Combine＝“１”が設定されていた基地局のハンドオフ閾値を低く設定する。
ハンドオフ前のSoft Combine情報は携帯電話１０内に記憶しておくことで、ハンドオフ前に在圏していた基地局と、ハンドオフ前にSoft Combine＝“１”が設定されていた基地局は、ハンドオフ前に受信していたＢＣＭＣＳ番組を放送しているため、再びそれらの基地局にハンドオフした場合はＢＣＭＣＳ番組を再受信することができる。
【００５１】
なお、ＢＣＭＣＳ番組を放送している基地局にハンドオフ出来ないために、ＢＣＭＣＳ番組の中断が一定期間継続すると、ＢＣＭＣＳ番組受信は受信エラーで終了する。この場合、ＢＣＭＣＳ番組の受信中以外はハンドオフ閾値を変更する必要がないため、ＢＣＭＣＳ番組の受信が終了した場合そのハンドオフ閾値は初期値に戻す必要がある。
【００５２】
以上説明のように本発明の実施の形態に係る無線端末装置によれば、ＢＣＭＣＳによる番組放送の有無によりハンドオフ閾値を変更することで、極力、ＢＣＭＣＳの番組放送がされている基地局にハンドオフ出来るようになり、したがって、ハンドオフしたことによりＢＣＭＣＳ番組受信エラーにならず、正常にＢＣＭＣＳの番組を受信することができる。
また、本発明の実施の形態に係る無線端末装置によれば、ハンドオフ前に取得したＢＣＭＣＳの番組放送情報を記憶しておくことで、ＢＣＭＣＳの番組を放送していない基地局にハンドオフした場合、ハンドオフ前のＢＣＭＣＳ番組放送情報を元にハンドオフ閾値の再設定を行うことができる。更に、本発明の実施の形態に係る無線端末装置によれば、ＢＣＭＣＳ番組を放送していない基地局についてもハンドオフ候補から除外しないため、ハンドオフ先が見つからないことによる無線端末装置の電波ロストを回避することができる。
【００５３】
なお、電波のロストを極力回避しながらもＢＣＭＣＳによる番組を放送していない基地局に対しするハンドオフを抑制し、仮に、ハンドオフした場合にも元の基地局にハンドオフし易く配慮してあることからＢＣＭＣＳ受信を極力継続することかできる。また、ハンドオフによりＢＣＭＣＳ受信ができない基地局からもとの受信可能な基地局に戻った場合、その滞在時間が極短時間であれば再度ＢＣＭＣＳ受信ができる場合がある。
【００５４】
また、本発明の実施の形態に係る無線ネットワークシステムによれば、網側装置（基地局２０およびＢＣＭＣＳサーバ４０）に大きな改変を要しないため、インフラの整備に即座に対応することができる。
【００５５】
なお、上記した本発明の実施の形態に係る無線ネットワークシステムによれば、ＣＤＭＡ２０００に限らず、Ｗ−ＣＤＭＡや、ＧＳＭ／ＵＭＴＳ（Universal Mobile Telecommunication System／Global System for Communications）等の無線通信方式に対応した無線端末装置全般に応用が可能である。また、無線端末装置として携帯電話１０を例示したが、携帯電話１０に限らず、ＰＤＡ（Personal Digital Assistants）、やゲーム機等にも同様に適用が可能である。
【００５６】
また、本発明の実施の形態に係る無線端末装置が有する各構成ブロックの機能は、全てをソフトウェアによって実現しても、あるいはその少なくとも一部をハードウェアで実現してもよい。
例えば、制御部１８を構成する、主制御部１８０、ＢＣＭＣＳ受信判定部１８１、近隣基地局リスト取得部１８２、ハンドオフ制御部１８３におけるデータ処理は、１または複数のプログラムによりコンピュータ上で実現してもよく、また、その少なくとも一部をハードウェアで実現してもよい。
なお、ＢＣＭＣＳとSoft Combineを例としたが、これに限られず、周辺基地局での同じブロードキャスト番組を映っていることがわかる情報さえ入手できれば、ＢＣＭＣＳ以外のブロードキャストシステムであっても、本発明は適用可能である。
【図面の簡単な説明】
【００５７】
【図１】本発明の実施の形態に係る無線ネットワークシステムのシステム構成の一例を示す図である。
【図２】本発明の実施の形態に係る無線ネットワークシステムで使用される報知情報（セクタパラメータメッセージ、ブロードキャストオーバーヘッドメッセージ）の一例を示す図である。
【図３】本発明の実施の形態に係る無線ネットワークシステムで使用される報知情報に含まれるSoft Combineのイメージを説明するために示した概念図である。
【図４】本発明の実施の形態に係る無線端末装置の外観構造の一例を示す図である。
【図５】本発明の実施の形態に係る無線端末装置の内部構成の一例を示すブロック図である。
【図６】本発明の実施の形態に係る無線端末装置のＢＣＭＣＳ番組受信中におけるハンドオフ制御の動作を示すフローチャートである。
【図７】本発明の実施の形態に係る無線端末装置のＢＣＭＣＳ番組受信中のハンドオフのイメージ（１）を説明するために示した図である。
【図８】本発明の実施の形態に係る無線端末装置のＢＣＭＣＳ番組受信中のハンドオフのイメージ（２）を説明するために示した図である。
【符号の説明】
【００５８】
１０…携帯電話、１１…通信部、１２…操作部、１３…音声入出力部、１４…スピーカ、１５…マイクロフォン、１６…表示部、１７…記憶部、１８…制御部、２０…基地局（基地局装置）、３０…通信ネットワーク、４０…ＢＣＭＣＳサーバ、１７０…ネイバーリスト（近隣基地局情報）、１８０主制御部、１８１…ＢＣＭＣＳ受信判定部、１８２…近隣基地局リスト取得部、１８３…ハンドオフ制御部、２００…データベース（ＤＢ）。
【図１】
0005414086.tif 000002
【図２】
0005414086.tif 000003
【図３】
0005414086.tif 000004
【図４】
0005414086.tif 000005
【図５】
0005414086.tif 000006
【図６】
0005414086.tif 000007
【図７】
0005414086.tif 000008
【図８】
0005414086.tif 000009